(57)【要約】【課題】画像形成装置における確認出力モード時に、ユーザーによる排紙先の指定を可能にする。【解決手段】印刷条件を設定する入力手段と、設定された印刷条件による出力状態を確認するための確認出力モードと、印刷物を出力するための複数の排出先と、前記確認出力モードで印刷される転写紙の排紙先を指定する排紙先設定手段とを備える。また、確認出力モードでモードを部単位又は後処理設定も含めた部数単位又はページ単位といった複数の設定パターンを設定可能とする。【効果】確認出力時に排出される排出先を通常印刷時に出力される排紙先を含めた複数の排紙先からユーザーにより指定可能になる。確認出力で確認可能な設定パターンを幅広く実現することができる。【選択図】        図２
2005005943.tif 000002
【特許請求の範囲】
【請求項１】
印刷条件を設定する入力手段と、設定された印刷条件による出力状態を確認するための確認出力モードと、印刷物を出力するための複数の排出先と、前記確認出力モードで印刷される転写紙の排紙先を指定する排紙先設定手段とを備えることを特徴とする画像形成装置。
【請求項２】
前記排紙先設定手段で指定の対象とする排紙先に、通常の印刷時に排紙が行われる排紙先を含むことを特徴とする請求項１記載の画像形成装置。
【請求項３】
印刷条件を設定する入力手段と、設定された印刷条件による出力状態を確認するための確認出力モードと、該確認出力モードにおいて出力単位を部単位とページ単位とで選択可能な手段とを備えることを特徴とする画像形成装置。
【請求項４】
印刷条件を設定する入力手段と、設定された印刷条件による出力状態を確認するための確認出力モードと、該確認出力モードにおいて後処理設定を含まない出力と後処理設定を含む出力とを選択可能な手段を備えることを特徴とする画像形成装置。
【請求項５】
前記確認出力モードで印刷される転写紙の排紙先を指定する排紙先設定手段を備えることを特徴とする請求項３または４に記載の画像形成装置。
【請求項６】
前記確認出力モードが後処理設定も含めた部単位設定の場合、確認出力時の排紙先指定が不可となり、通常排出先と同じ排出先にする排紙先強制指定手段を備えることを特徴とする請求項３〜５のいずれかに記載の画像形成装置。
【請求項７】
前記確認出力モードがページ単位設定で、かつ１頁指定の場合、確認出力時に、転写紙の画像面が上になるフェースアップ排出に自動的に切り替える手段を備えることを特徴とする請求項３〜６のいずれかに記載の画像形成装置。
【請求項８】
前記フェースアップ排出への切り替えを解除する手段を備えることを特徴とする請求項７記載の画像形成装置。
【発明の詳細な説明】
【０００１】
【発明の属する技術分野】
本発明は、印刷条件を設定して出力をおこなうことができ、また、その出力状態を実際の出力の前に確認することができる確認出力モードを備える画像形成装置に関するものである。
【０００２】
【従来の技術】
従来、画像データを用いて記録媒体上に画像を形成する画像形成装置においては、通常、ユーザにおいて印刷条件の設定が可能になっている。印刷条件としては、出力部数、片面、両面印刷の別や、印刷用紙サイズ、コピー倍率、コピー濃度、さらにステイプル、パンチなどの後処理方法等が挙げられる。このように印刷条件を設定した場合、ユーザは自分の意図している出力形態が得られるか否かを確認して、確認の結果、自分の意図するものと異なる場合には、印刷条件の再設定や修正を行いたいという要望がある。
【０００３】
従来、このような観点から、通常の出力を行う前に、ユーザによる確認のための出力を可能にした画像形成装置が提案されており、上記確認のための出力をお試しコピーと称している場合がある。
特許文献１では、該お試しコピーモード時には最も早く排紙できる排紙トレイ又は最も確認し易い排紙トレイが自動的に選択されるようになっている複写装置について記載されている。
また、特許文献２では、お試しコピー時に排出する排出部を通常のコピー時の出力部とは別個に設けるような画像形成装置について記載されている。別個に設けられる排出部としては、ジャム紙の排出口を兼用するのを好適なものとしている。そして該文献の実施形態に示されるように、お試しコピー時には、自動的に上記排出部に出力するようにしている。
【０００４】
【特許文献１】
特開平８−２４８８３４号公報
【特許文献２】
特開平８−１０６１９１号公報
【０００５】
【発明が解決しようとする課題】
しかし、特許文献１、２に示される画像形成装置では、自動的に上記記載の内容にあった排紙先が選択されてしまうため、意図しない排出先に出力されてしまうという問題がある。また、特許文献２では、お試しコピー時には通常排出部への排出がなされず、該排出部への排出を希望する場合にも必ず異なる排出先に排出されてしまうという問題がある。
【０００６】
本発明は、上記事情を背景としてなされたものであり、確認出力を行う際に、通常排出部を含めて複数の排出部のうち所望の排出部に出力することができる画像形成装置および所望の出力形態で確認出力することができる画像形成装置を提供することを目的とする。
【０００７】
【課題を解決するための手段】
上記課題を解決するため本発明の画像形成装置のうち、請求項１記載の発明は、印刷条件を設定する入力手段と、設定された印刷条件による出力状態を確認するための確認出力モードと、印刷物を出力するための複数の排出先と、前記確認出力モードで印刷される転写紙の排紙先を指定する排紙先設定手段とを備えることを特徴とする。
【０００８】
請求項２記載の画像形成装置の発明は、請求項１記載の発明において、前記排紙先設定手段で指定の対象とする排紙先に、通常の印刷時に排紙が行われる排紙先を含むことを特徴とする。
【０００９】
請求項３記載の画像形成装置の発明は、印刷条件を設定する入力手段と、設定された印刷条件による出力状態を確認するための確認出力モードと、該確認出力モードにおいて出力単位を部単位とページ単位とで選択可能な手段を備えることを特徴とする。
【００１０】
請求項４記載の画像形成装置の発明は、印刷条件を設定する入力手段と、設定された印刷条件による出力状態を確認するための確認出力モードと、該確認出力モードにおいて後処理設定を含まない出力と後処理設定を含む出力とを選択可能な手段を備えることを特徴とする。
【００１１】
請求項５記載の画像形成装置の発明は、請求項３または４に記載の発明において、前記確認出力モードで印刷される転写紙の排紙先を指定する排紙先設定手段を備えることを特徴とする。
【００１２】
請求項６記載の画像形成装置の発明は、請求項３〜５のいずれかに記載の発明において、前記確認出力モードが後処理設定も含めた部数単位設定の場合、確認出力時の排紙先指定が不可となり、通常排出先と同じ排出先にする排紙先強制指定手段を備えることを特徴とする。
【００１３】
請求項７記載の画像形成装置の発明は、請求項３〜６のいずれかに記載の発明において、前記確認出力モードがページ単位設定で、かつ１頁指定の場合、確認出力時に、転写紙の画像面が上になるフェースアップ排出に自動的に切り替える手段を備えることを特徴とする。
【００１４】
請求項８記載の画像形成装置の発明は、請求項７記載の発明において、前記フェースアップ排出への切り替えを解除する手段を備えることを特徴とする。
【００１５】
すなわち本発明によれば、確認出力モードの際に、排紙先設定手段によって転写紙の排紙先を指定できるので、ユーザが意図しない排紙先に排紙されてしまうのを避けてユーザの希望する排紙先に排紙することを可能にする。この結果、確認出力で確認可能な設定パターンを幅広く実現することができる。なお、排紙の指定先としては通常の排紙先を含めることも可能である。
【００１６】
また他の本発明では、確認出力に際し、出力単位を部単位とページ単位とで選択可能な手段を備えるので、さらに確認可能な設定パターンを幅広く実現することができる。さらに他の本発明では、後処理設定を含まない出力方法と後処理設定を含む出力方法とを選択可能としているので、さらに確認可能な設定パターンを幅広く実現することができる。
【００１７】
また、前記確認出力モードが後処理設定も含めた部単位設定の場合、確認出力時の排紙先指定を不可にして、通常排出先と同じ排出先にすれば、後処理を含めた出力形態を確認することができ、通常出力と同様の形態で出力状態を確認することができる。また、確認出力モードがページ単位設定で１頁指定の場合、確認出力時に、転写紙の画像面が上になるフェースアップ排出に自動的に切り替えるようにすれば、１頁のみの確認出力では、速やかに確認作業をすることが可能になる。
【００１８】
【発明の実施の形態】
以下に、本発明の一実施形態を説明する。
図１のブロック図に示すように、本発明の画像形成装置１は、画像形成装置制御部１００とスキャナ部１３０と操作部１４０とプリンタ部１５０とを有するデジタルコピア本体１０と、ＬＡＮ２を通して外部から入力される画像データまたは外部に出力する画像データを処理する画像処理制御部２０と、後処理部であるフィニッシャー部３０を備えており、画像形成装置制御部１００と画像処理制御部２０とは、内部ＰＣＩバス１５によって接続されている。なお、上記ＬＡＮ２には、外部装置として端末３が接続されている。
【００１９】
前記デジタルコピア本体１０の画像形成装置制御部１００では、該ＰＣＩバス１５にＤＲＡＭ制御ＩＣ１０３が接続されている。また、画像形成装置制御部１００には、装置制御ＣＰＵ１０１を備えており、該装置制御ＣＰＵ１０１に、前記ＤＲＡＭ制御ＩＣ１０３が接続されている。また、装置制御ＣＰＵ１０１には、不揮発メモリ１０２が接続されている。該不揮発メモリ１０２には、上記装置制御ＣＰＵ１０１を動作させるためのプログラムや画像形成装置１の設定データ、プロセス制御パラメータ等の動作制御条件データが格納されている。装置制御ＣＰＵ１０１は、不揮発メモリ１０２の不揮発データを読み取り可能であり、また、所望のデータを不揮発データとして該不揮発メモリ１０２に書き込むことが可能である。
前記装置制御ＣＰＵ１０１では、不揮発メモリ１０２に記憶された動作制御条件や操作部１４０から入力される指令によって自機を動作させることができる。また、該装置制御ＣＰＵ１０１は、確認出力モードの設定により確認出力の指令を行なう手段として機能する。なお、詳細には後述するが、該指令は、装置制御ＣＰＵ１０１からシリアル通信によってプリンタ部１５０のプリンター制御部１５１に伝達され、さらにシリアル通信によってフィニッシャー部３０のフィニッシャー制御部３１に伝達される。
【００２０】
さらに、画像形成装置ＣＰＵ１０１は、確認出力モード時に出力される排出位置を制御する手段として機能する。該制御指令は、装置制御ＣＰＵ１０１からシリアル通信によってプリンター制御部１５１に伝達され、図示しない排紙系やフィニッシャー制御部３１へと伝達される。
さらに装置制御ＣＰＵ１０１は、確認出力モード時に、排紙先を通常排紙先に設定する排紙先強制指定手段として機能する。また、確認出力モード時に、転写紙を自動的にフェースアップ排出に切り替える手段としても機能する。
【００２１】
次に、前記スキャナ部１３０は、光学読み取りを行うＣＣＤ１３１と、スキャナ部１３０全体の制御を行うスキャナ制御部１３２とを備えている。スキャナ制御部１３２は、前記装置制御ＣＰＵ１０１とシリアル通信可能に接続されている。また、前記ＣＣＤ１３１は、該ＣＣＤ１３１で読み取った画像データを処理する読み取り処理部１０４に接続され、該読み取り処理部１０４には画像データを圧縮処理する圧縮ＩＣ１０５が接続され、該圧縮ＩＣ１０５は前記したＤＲＡＭ制御ＩＣ１０３に接続されている。上記スキャナ部１３０と読み取り処理部１０４と圧縮ＩＣ１０５とによって画像読み取り手段が構成され、画像読み取り処理がなされる。
【００２２】
前記操作部１４０は、操作部となるタッチパネル１４１と、操作部制御部１４２とを備えており、上記タッチパネル１４１と操作部制御部１４２とが接続され、該表示操作制御部１４２と前記装置制御ＣＰＵ１０１とがシリアル通信可能に接続されている。操作部１４０では、画像形成装置１における設定や印刷条件の入力や表示が可能になっている。すなわち操作部１４０は、印刷条件を設定する手段としても機能する。
【００２３】
また操作部１４０は、排紙先として複数の排出位置を指定する際の入力手段として機能する。タッチパネル１４１による入力結果は、操作部制御部１４２からシリアル通信を介して前記装置制御ＣＰＵ１０１に伝達される。さらに操作部１４０は、設定された印刷条件による出力確認を行うための確認出力モードを選択する手段として機能する。タッチパネル１４１による選択は、操作部制御部１４２からシリアル通信を介して装置制御ＣＰＵ１０１に伝達される。
【００２４】
また、ＤＲＡＭ制御ＩＣ１０３は、圧縮メモリ１０６ａとページメモリ１０６ｂとからなる画像メモリ１０６に接続されている。さらにＤＲＡＭ制御ＩＣ１０３には、圧縮された画像データを伸張する伸張ＩＣ１０７が接続されており、該伸張ＩＣ１０７には書き込み処理部１０８が接続されている。該書き込み処理部１０８は、プリンタ部１５０のＬＤ（レーザダイオード）１５２に接続され、該ＬＤ１５２の動作に用いられるデータの処理を行う。また、プリンタ部１５０は、プリンタ部１５０の全体を制御するプリンタ制御部１５１と画像形成部１５３とを備えており、プリンタ制御部１５１は、前記した装置制御ＣＰＵ１０１に接続されている。さらにプリンタ制御部１５１は、フィニッシャー部３０のフィニッシャー制御部３１に接続されている。フィニッシャー部３０には、ステイプル装置３２、パンチ装置３３が設けられており、これらは前記フィニッシャー制御部３１に接続されて制御されるように構成されている。
【００２５】
また、前記ＰＣＩバス１５には、画像処理制御部２０のＤＲＡＭ制御ＩＣ２１が接続されている。画像処理制御部２０では、ＤＲＡＭ制御ＩＣ２１に、画像メモリ（ＤＲＡＭ）２２が接続され、さらに画像処理制御ＣＰＵ２３、ＬＡＮインターフェース２５が接続されている。ＬＡＮインターフェース２５は、ＬＡＮ２に接続されており、ＬＡＮ２には外部機器としての端末３が接続されている。
【００２６】
次に、上記画像形成装置の基本的動作について説明する。
先ず、画像形成装置１において画像データを蓄積する手順について説明する。
第１に画像形成装置１において、スキャナ部１３０で画像を読み取り画像データを生成する場合（読み取り処理）について説明する。スキャナ部１３０において原稿からＣＣＤ１３１により画像を光学的に読み取る。この際には、装置制御ＣＰＵ１０１から指令を受けるスキャナ制御部１３２によってＣＣＤ１３１の動作制御を行う。
装置制御ＣＰＵ１０１はプログラムによって動作し、操作部１４０による操作や端末３における操作に基づいてスキャナ部１３０への指令を発行する。ＣＣＤ１３１で読み取られた画像は、読み取り処理部１０４でデータ処理がなされ、データ処理された画像データは、圧縮ＩＣ１０５において所定の方法によって圧縮され、ＤＲＡＭ制御ＩＣ１０３を介して圧縮メモリ１０６に格納される。
【００２７】
また画像データは、例えば、ＬＡＮ２からＤＲＡＭ制御ＩＣ２１を介して画像メモリ２２に格納される。上記画像データは、例えば端末３においてアプリケーションプログラム等により生成される。上記画像メモリ２２のデータは、ＤＲＡＭ制御ＩＣ２１、ＰＣＩバス１５、ＤＲＡＭ制御ＩＣ１０３を介してページメモリ１０６に一旦格納される。ページメモリ１０６に格納されたデータは、ＤＲＡＭ制御ＩＣ１０３を介して圧縮ＩＣ１０５に順次送られて圧縮処理され、ＤＲＡＭ制御ＩＣ１０３を介して圧縮メモリ１０６ａに格納される。
【００２８】
画像形成装置１で画像出力（書き込み処理）を行う場合、上記のようにして圧縮メモリ１０６ａに画像データを格納した後には、画像データを圧縮メモリ１０６ａからＤＲＡＭ制御ＩＣ１０３を介して伸張ＩＣ１０７に送出してデータを伸張し、伸張したデータを書き込み処理部１０８に送出し、ＬＤ１５２において感光体への書き込みを行う。また、プリンタ部１５０では、装置制御ＣＰＵ１０１の指令を受けてプリンタ制御部１５１によって画像形成部１５３各部の制御が行われる。上記によってプリンタ部１５０において所定の転写紙（図示しない）への印刷が行われる。
【００２９】
また、画像形成が行われた転写紙は、排紙系に送られ、必要に応じて後処理装置であるフィニッシャー部３０で後処理がなされる。フィニッシャー部３０では、予め設定された情報に従ってフィニッシャー制御部３１で制御がなされ、ソートやステイプル装置３２を用いたステイプル、パンチ装置３３を用いたパンチなどがなされる。
【００３０】
次に、ユーザーによる印刷条件の設定がなされ、確認出力、通常出力がなされる手順について図２のフローチャートに基づいて説明する。
＜印刷条件設定＞
出力部数、片面、両面印刷の別や、印刷用紙サイズ、コピー倍率、コピー濃度、ステイプル、パンチなどの後処理方法を含む印刷条件は、ユーザーによって操作部１４０において設定可能になっている。該設定は、例えば操作部１４０におけるタッチパネル１４１に設定可能な事項を表示し、タッチキーで操作することによって印刷条件を入力する（ステップｓ１）。設定内容は、前記したように装置制御ＣＰＵ１０１に伝達される。装置制御ＣＰＵ１０１では、伝達された情報の内容を認識し、該内容を、一旦、不揮発メモリ１０２や画像メモリ１０６の一部を利用して一時保存することができる。
【００３１】
＜確認出力モード開始＞
印刷条件の設定がなされた後、例えば画面に表示される確認出力キーを押すことにより、確認出力モードを開始する（ステップｓ２）。該確認出力キーは、通常のスタート釦と別に設ける。
この他に、装置制御ＣＰＵ１０１では、前記印刷条件の設定がなされた後、該条件を最終的に決定するか否かの確認をユーザーに対し要求することができる。図３は、該要求によって操作部１４０のタッチパネル１４１に、印刷条件の表示４０と、ユーザーに確認等を求めるためのタッチキー表示（４１ａ、４１ｂ、４２、４３）を行っている設定確認モードの画面を示すものである。印刷条件の表示４０は、初期に設定されている基本印刷条件と、ユーザーによって設定された印刷条件とからなる。
また、タッチキー表示４１ａ〜４３は、印刷条件の設定を変更する手順に移行するための設定変更キー４１ａ、ユーザーによる印刷条件の設定を解除して初期設定条件に復帰させる設定解除キー４１ｂ、表示された印刷条件によって確認出力を行うための確認コピーキー４２、設定の確認を終了する終了キー４３とからなる。
【００３２】
設定変更キー４１ａがユーザーによって押釦された場合、タッチパネル１４１は印刷条件の設定を行う画面に表示切替（図示しない）され、印刷条件の設定入力が可能になる。印刷条件の設定入力が終了すると、上記設定確認モードの画面が再度表示されて確認等の要求がなされることになる。
また、設定確認モードの画面で、設定解除キー４２が押釦されると、初期の印刷条件に復帰し、設定確認モードの印刷条件の表示が書き換えられる。印刷条件の設定を行いたい場合には、前記した設定変更キー４１ａを押釦することによって設定入力が可能になる。
また、終了キー４３が押釦されると、設定確認モードが終了し、例えば初期画面（図示しない）に復帰して、通常印刷の実行などが可能になる。
また、設定確認モードの画面で、確認コピーキー４２が押釦された場合、確認出力モードを開始する（ステップｓ２）。
【００３３】
＜モードチェック＞
確認出力モードであることを検出すると、出力単位、出力方法を定めるためのモードチェックがなされる（ステップｓ３）。該モードチェックでは、図４に示すように、タッチパネル１４１に確認出力詳細設定の画面が表示され、部数単位での出力設定のためのタッチキー群４４と、ページ単位での出力設定のためのタッチキー群４５とが表示されている。初期画面としては、デフォルトでどれかが選択されている状態になる。選択されている排紙先は、網掛け状態など選択されていない排紙先と異なる表示形態になっている。
なお、部数単位、ページ単位、後処理も含めた部数単位処理は以下の意味を有している。
部数単位：全原稿分（１部分）の書込み。
ページ単位：指定したページの書込み。
後処理も含めた部数単位処理：全原稿分（１部分）の書込み。
【００３４】
タッチキー群４４は、部数単位キー４４ａと後処理も含めた部数単位キー４４ｂとを有している。部数単位キー４４ａは、後処理を含まない出力方法であって部単位で確認出力する手順を選択するための設定キーである。したがって、この手順では、印刷条件に後処理設定を含む場合にも、当該後処理がなされることなく確認出力されることになる。
また、後処理も含めた部数単位キー４４ｂは、後処理を含む方法であって部単位で確認出力する手順を選択するための設定キーである。したがって、この手順では、印刷条件に後処理設定を含む場合、該条件に従って後処理がなされるようにして確認出力されることになる。
【００３５】
またタッチキー群４５は、ページ単位での出力設定を行うものであり、開始ページを指定する開始ページキー４５ａと終了頁を指定する終了ページキー４５ｂと強制フェースアップ排紙キー４５ｃとを有している。開始ページと終了ページとを同一値で入力することで当該ページのみを単ページで出力することができる。
例えば１ページのみ出力させたい場合は、１〜１といった設定にすればよい。
この単ページでの確認出力の場合、確認を容易にするために、自動的にフェースアップ排紙が選択される。フェースアップ排紙では画像面が上になるように転写紙が排出される。ただし、ユーザーによって単ページ排紙に際しフェースアップ排紙を望まない場合には、前記した強制フェースアップ排紙キー４５ｃを押釦することで、強制フェースアップ排紙の設定を解除することができる。また、強制フェースアップ排紙キー４５ｃは、その他の単ページでないページ単位設定や部数単位設定での確認出力に際し、フェースアップ排紙の選択および解除を行うために押釦することも可能である。なお、図４に示すタッチパネル１４１の画面では、ページ単位の出力設定がなされており、該設定によってタッチキー群４５のエリアが網掛表示されている。
【００３６】
上記により確認出力のための詳細設定（モードチェック）がなされた後、処理内容をチェックし、部数単位・ページ単位・後処理も含めた部数単位処理の各設定に合わせた処理に移行する。各設定によって処理手順が定められている。すなわち、後処理を含めない部数単位およびページ単位出力では、確認出力時の排出先指定の手順に移行する（ステップｓ４）。一方、前記モードチェックにおいて後処理も含めた部数単位で出力する設定がなされた場合、前記排出先指定を禁止して、次ステップｓ５に移行する。
【００３７】
＜確認出力時の排出先指定＞
ステップｓ５の排出先指定では、排出先として指定可能な排出先を表示し、ユーザーに対し所望の排紙先を指定する要求がなされる。
具体的には、図５に示すように、複数の排出先を示す排出先表示群５０と、複数の排出先のなかから排出先を選択可能とする排出先指定タッチキー群５１とが、タッチパネル１４１の画面に表示される。
初期画面としては、デフォルトで複数の排紙先のうちどれかが選択されている状態にある。選択されている排紙先は、網掛け状態など選択されていない排紙先と異なる表示形態になっている。
【００３８】
この実施形態の画像形成装置１は、大容量スタッカーと呼ばれる印刷物を大量に積載可能なフィニッシャー部を備えており、各スタック部は台車として引き出すことより排出物を取り出す。図５の概略図では、各スタック部は排出先表示５０１〜５０４として表示されている。この大容量スタッカーに排出した場合、スタック部の引き出し作業を行なわなければ出力物の確認ができない。
排出先表示５０５で示される排出先は、上面排紙トレイであり、出力物の確認が容易であるが、積載能力は低く多量の印刷物（廃棄せずに放置し続けた場合も有る）の出力には向かない。
また、排出先表示５０６で表示される排出先は、側面排紙トレイであり、出力物の確認は、上面排紙トレイほどではないものの、各スタック部よりは容易である。また、上面排紙トレイに比べれば、積載能力が高い。
【００３９】
ユーザーは、各排出先における上記した性質などを考慮して確認出力時の排紙先を選択することができる。排出先の指定は、各排出先に対応する排出先指定キー５１１〜５１６のいずれかを押釦することによって行うことができる。
排紙先が指定されると、押釦された排出先指定キーが網掛表示されるとともに排紙先表示５０１〜５０６のうち、該当する排紙先表示が網掛表示されてユーザーが容易に指定先を確認することができる。排出先を変更したい場合には、他の排出先指定キーを押釦することで容易に変更することができ、該変更によって排出先指定キーと排出先表示の網掛場所も変更される。排出先の指定が完了した場合、終了キー５２を押釦することで、確認出力時の排紙先指定が完了する。
なお、この例では、確認出力モード開始後に設定処理を行なっているが、予め設定を行なっていても良い。
【００４０】
＜読み取り処理＞
上記排出先の指定がなされた場合または前記モードチェックで後処理を含めた部数単位出力が選択された場合、スキャナー部１３０にセットされた全原稿の読み取りを行なう（ステップｓ５）。
読み取られた原稿による画像データは、前記したように、画像メモリ１０６に格納される。
【００４１】
＜書込み＞
装置制御ＣＰＵ１０１では、確認出力のための処理内容をチェックし、部数単位・ページ単位・後処理も含めた部数単位処理の各設定に合わせた書込み処理を実行する（ステップｓ６）。該書き込みによって画像データに基づいて転写紙への画像形成が行われる
【００４２】
＜排紙＞
前記書き込みがなされた転写紙は、指定された排紙先に出力される（ステップｓ７）。また、印刷条件に後処理が含まれる場合には、フィニッシャー部３０で必要な後処理がなされた後、排紙される。
【００４３】
＜確認出力画面表示＞
要求した確認出力が完了後、確認出力を実施した印刷条件の表示を図３に示すように行なう（ステップｓ８）。この画面でも、印刷条件の変更が可能で再度確認出力を実行するための確認出力キーも設けてある。
【００４４】
＜印刷条件ＯＫ？＞
上記確認出力画面による確認後、印刷条件を変更し再度確認出力を行なう場合はユーザーによって設定変更キー４１ａが押釦される。この押釦によって印刷条件は“Ｎｏ”であるとの判定がなされ、再度ステップｓ１に移行して印刷条件の再設定がなされる。一方、印刷条件の変更が無い場合は、ユーザーによって終了キー４３が押釦される。この押釦によって印刷条件は“Ｙｅｓ”であるとの判定がなされる。該判定においては、メインメニュー画面（図示しない）に戻ってユーザーによる通常印刷の実行を待ってもよく、また、終了キー４３の押釦に伴って通常印刷処理を開始してもよい。通常印刷処理では、設定された印刷条件に従って出力処理が行なわれる。
以上、説明したように上記手順によって確認出力および通常印刷処理が円滑になされる。
【００４５】
【発明の効果】
以上説明したように、本発明の画像形成装置によれば、印刷条件を設定する入力手段と、設定された印刷条件による出力状態を確認するための確認出力モードと、印刷物を出力するための複数の排出先と、前記確認出力モードで印刷される転写紙の排紙先を指定する排紙先設定手段とを備えるので、確認出力時に排出される排出先を、通常印刷時に出力される排紙先を含めた複数の排紙先からユーザーにより指定可能になる。
【００４６】
また、確認出力モードで設定可能なモードを部単位又は後処理設定も含めた部数単位又はページ単位といった複数の設定パターンを備えることにより、確認出力で確認可能な設定パターンを幅広く実現することができる。
【図面の簡単な説明】
【図１】本発明の一実施形態における画像形成装置を示すブロック図である。
【図２】同じく、確認出力モードを用いた処理手順を示すフローチャートである。
【図３】同じく、確認出力画面を示す図である。
【図４】同じく、確認出力時の排出先選択画面を示す図である。
【図５】同じく、確認出力詳細設定画面を示す図である。
【符号の説明】
１    画像形成装置
２    ＬＡＮ
３    端末
１０    デジタルコピア本体
２０    画像処理制御部
３０    フィニッシャー部
３２    ステイプル装置
３３    パンチ装置
４０    印刷条件の表示
４１ａ  設定変更キー
４１ｂ  設定解除キー
４２    確認コピーキー
４３    終了キー
４４ａ  部数単位キー
４４ｂ  後処理も含めた部数単位キー
４５ａ  開始ページキー
４５ｂ  終了ページキー
４５ｃ  強制フェースアップ排紙キー
５０１、５０２、５０３、５０４、５０５、５０６  排出先表示
５１１、５１２、５１３、５１４、５１５、５１６  排出先指定キー
５２    終了キー
１００    画像形成装置制御部
１０１    装置制御ＣＰＵ
１０２    不揮発メモリ
１３０    スキャナ部
１４０    操作部
１４１    タッチパネル
１４２    操作部制御部
１５０    プリンタ部
【図１】
2005005943.tif 000003
【図２】
2005005943.tif 000004
【図３】
2005005943.tif 000005
【図４】
2005005943.tif 000006
【図５】
2005005943.tif 000007